(57)【要約】【課題】省電力モードなどから迅速に復帰する、画像形成装置および画像読取装置を提供すること。【解決手段】本発明の画像形成装置４０は、画像読取のための光学系を保持するキャリッジを備える画像読取ユニット５０と、画像読取可能な通常モードと、消費電力が前記通常モードより低い省エネモードとの間で状態遷移させるモード切換手段８０とを備え、モード切換手段８０は、画像読取ユニット５０のキャリッジが画像調整位置まで移動したことに応答して省エネモードに状態遷移させるためのトリガ・イベントを発行し、キャリッジが省エネモードからの復帰時に直ちに画像調整処理を実行させ、通常モードへの復帰時間を短縮している。本発明は、また同様のキャリッジ移動制御を行う、画像読取装置も提供する。【選択図】  図２
2008061198.tif 000002
【特許請求の範囲】
【請求項１】
画像読取のための光学系を保持するキャリッジと、画像読取可能な通常モードと、消費電力が前記通常モードより低い省エネモードとの間で状態遷移させるモード切換手段と、前記省エネモードから前記通常モードに状態遷移させるときに画像調整を行う画像調整手段とを備える画像形成装置であって、
前記モード切換手段は、前記キャリッジが画像調整位置まで移動したことに応答して前記省エネモードに状態遷移させるためのトリガ・イベントを発行する、画像形成装置。
【請求項２】
前記モード切換手段は、キャリッジ移動時間を予測して計時を開始する第１タイマ手段と、前記省エネモードへの状態遷移開始を計時する第２タイマ手段とを備え、前記第１タイマ手段は、前記第２タイマ手段のタイムアウト・タイミングよりも早くタイムアウトし、前記第１タイマ手段は、前記キャリッジ移動時間の予測値により設定自在である、請求項１に記載の画像形成装置。
【請求項３】
前記モード切換手段は、前記第１タイマのタイムアウトにより前記省エネモードへの状態遷移を生じさせる前記トリガ・イベントを発行し、前記画像形成装置は、前記キャリッジ移動時間の予測値に応答して、異なるキャリッジ移動制御を実行する、請求項２に記載の画像形成装置。
【請求項４】
前記予測値が０である場合には、前記予測値を使用する前記キャリッジの移動を行わず、警告表示を表示する表示手段を備える、請求項２または３に記載の画像形成装置。
【請求項５】
前記予測値として、前記キャリッジが画像調整位置まで移動するための移動時間の実測値を使用する、請求項２〜４のいずれか１項に記載の画像形成装置。
【請求項６】
画像読取のための光学系を保持するキャリッジと、画像読取可能な通常モードと消費電力が前記通常モードより低い省エネモードとの間で状態遷移させるモード切換手段と、前記省エネモードから前記通常モードに状態を移行させるときに画像調整を行う画像調整手段と、を備える画像形成装置であって、
前記キャリッジが画像調整位置まで移動したことを検知する検知手段を備え、前記画像形成装置は、前記検知手段による前記キャリッジが前記画像調整を行う位置にまで移動した通知に応答して前記通常モードから前記省エネモードへと状態遷移する、画像形成装置。
【請求項７】
前記画像形成装置は、前記検知手段からの前記通知が前記キャリッジの移動開始時点から一定時間内になされなかった場合、前記表示手段を使用して警告表示させる、キャリッジ移動判定手段を備える、請求項６に記載の画像形成装置。
【請求項８】
前記画像調整の許可または禁止を設定する設定手段を有し、前記省エネモードから前記通常モードへ遷移する場合であって、かつ前記設定手段で画像調整許可が設定されている場合に、前記キャリッジを前記画像調整のために移動させる、請求項１〜７のいずれか１項に記載の画像形成装置。
【請求項９】
画像読取のための光学系を保持するキャリッジと、画像読取可能な通常モードと、消費電力が前記通常モードより低い待機モードとの間で状態遷移させるモード切換手段と、前記待機モードから前記通常モードに状態遷移させるときに画像調整を行う画像調整手段とを備える画像読取装置であって、
前記モード切換手段は、前記キャリッジが画像調整位置まで移動したことに応答して前記待機モードに状態遷移させるためのトリガ・イベントを発行する、画像読取装置。
【発明の詳細な説明】
【技術分野】
【０００１】
本発明は、画像形成に関し、より詳細には、省電力モードから迅速に復帰する、画像形成装置および画像読取装置に関する。
【背景技術】
【０００２】
スキャナなどの画像読取装置を備える画像形成装置は、環境への負荷を低減するために、消費電力の高い通常モードと、必要最低限の機能だけを機能維持させておく、省エネルギーモード（以下、省エネモードとして参照する。）を備えている。省エネモードからの復帰時には、標準白板を使用した画質調整（以下、ＡＧＣとして参照する。）が行われることが多い。ＡＧＣは、まず反射光学系をマウントしたキャリッジを調整開始位置まで移動させ、標準白板を使用して白レベルおよびダイナミックレンジの校正などの調整動作を行う。このため、省エネモードから通常モードへと復帰する場合、画質調整のためにキャリッジをホームポジションと呼ばれる待機位置から標準白板まで移動させ、画質調整を行う必要がある。
【０００３】
一方、最近では、環境面や経済面から頻繁に省エネモードへの切換えを行う場合が多い。このため、画像形成装置を使用するたびに省エネから復帰しなければならならず、省エネモードからの復帰時間（立上げ時間）を短縮することが要求されるようになっている。
【０００４】
これまで、省エネモードを有する画像読取装置については、特開２００４−１０９６３９号公報（特許文献１）に開示されている。特許文献１では、省エネモードを有する画像読取装置において、省エネモードからの復帰時に電源投入時と同様、標準白板を読取って画像読取補正を行い、省エネモードへ移行するのに先立ってキャリッジを標準白板の下に予め移動させておくことにより、省エネモードからの復帰時間を短縮する発明が記載されている。
【０００５】
また、特開２００６−１６２６４９号公報（特許文献２）は、省エネモードに移行したときに、キャリッジをホームポジションに位置させる画像読取装置を開示している。
【０００６】
さらに特開２００３−２１９１２７号公報（特許文献３）は、省エネモードからの復帰時に画像読取条件の調整を行わずに復帰時間を短縮する画像読取装置を開示している。また、特開２００４−２１４７２３号公報（特許文献４）は、電源ＯＮ時や省エネモードからの復帰時、白レベルなどの読取特性値を適正に保つため画質調整を行う点を開示している。
【特許文献１】特開２００４−１０９６３９号公報
【特許文献２】特開２００６−１６２６４９号公報
【特許文献３】特開２００３−２１９１２７号公報
【特許文献４】特開２００４−２１４７２３号公報
【発明の開示】
【発明が解決しようとする課題】
【０００７】
上述したように、省エネモードからの復帰時に画質調整を行うための時間を短縮すること、および画質調整を行わないで済ませる技術が開示されている。しかしながら、通常モードから省エネモードへの状態遷移の際、キャリッジが標準白板の位置に確実に達した後に省エネモードに状態遷移させなければ、省エネモードからの復帰時に画質調整が、直ちにできないという不都合がある。
【０００８】
すなわち、画像形成装置の環境への負荷などを低減させるため、通常モードから省エネモードへの状態遷移時に、キャリッジを確実に画質調整位置に設定でき、さらに通常モードから省エネモードへの遷移時間を最小化するように、キャリッジの運動を制御する制御技術が必要とされていた。
【課題を解決するための手段】
【０００９】
本発明は、キャリッジが画質調整位置へと到達したことを通常モードから省エネモードへの状態遷移を生じさせるトリガ・イベントとする。トリガ・イベントとして本発明では、キャリッジの移動時間またはキャリッジが画像調整位置に達したことを使用する。省エネモードへの遷移は、トリガ・イベントの発生により実行され、この結果、キャリッジは、省エネモードに遷移したとき、確実に画像調整位置とされる。また、本発明では、トリガ・イベントが所定期間内に発生しない場合、キャリッジの位置が画像調整位置に到達していないことをオペレーション・パネルなどの入出力操作部を介してユーザに通知することで、通常モードへの復帰時の処理を選択させることができる。
【００１０】
本発明によれば、画像読取のための光学系を保持するキャリッジと、画像読取可能な通常モードと、消費電力が前記通常モードより低い省エネモードとの間で状態遷移させるモード切換手段と、前記省エネモードから前記通常モードに状態遷移させるときに画像調整を行う画像調整手段とを備える画像形成装置であって、
前記モード切換手段は、前記キャリッジが画像調整位置まで移動したことに応答して前記省エネモードに状態遷移させるためのトリガ・イベントを発行する、画像形成装置が提供される。
【００１１】
本発明の前記モード切換手段は、キャリッジ移動時間を予測して計時を開始する第１タイマ手段と、前記省エネモードへの状態遷移開始を計時する第２タイマ手段とを備え、前記第１タイマ手段は、前記第２タイマ手段のタイムアウト・タイミングよりも早くタイムアウトし、前記第１タイマ手段は、前記キャリッジ移動時間の予測値により設定自在とすることができる。本発明の前記モード切換手段は、前記第１タイマのタイムアウトにより前記省エネモードへの状態遷移を生じさせるトリガ・イベントを発行し、前記画像形成装置は、前記キャリッジ移動時間の予測値に応答して、異なるキャリッジ移動制御を実行することができる。本発明では、前記予測値が０である場合には、前記予測値を使用する前記キャリッジの移動を行わず、警告表示を表示する表示手段を備えることができる。前記予測値として、前記キャリッジが画像調整位置まで移動するための移動時間の実測値を使用することができる。
【００１２】
本発明によれば、画像読取のための光学系を保持するキャリッジと、画像読取可能な通常モードと消費電力が前記通常モードより低い省エネモードとの間で状態遷移させるモード切換手段と、前記省エネモードから前記通常モードに状態を移行させるときに画像調整を行う画像調整手段と、を備える画像形成装置であって、
前記キャリッジが画像調整位置まで移動したことを検知する検知手段を備え、前記画像形成装置は、前記検知手段による前記キャリッジが前記画像調整を行う位置にまで移動した通知に応答して前記通常モードから前記省エネモードへと状態遷移する、画像形成装置が提供できる。
【００１３】
本発明の前記画像形成装置は、前記検知手段からの前記通知が前記キャリッジの移動開始時点から一定時間内になされなかった場合、前記表示手段を使用して警告表示させる、キャリッジ移動判定手段を備えることができる。本発明では、前記画像調整の許可または禁止を設定する設定手段を有し、前記省エネモードから前記通常モードへ遷移する場合であって、かつ前記設定手段で画像調整許可が設定されている場合に、前記キャリッジを前記画像調整のために移動させることができる。
【００１４】
また、本発明によれば、画像読取のための光学系を保持するキャリッジと、画像読取可能な通常モードと、消費電力が前記通常モードより低い待機モードとの間で状態遷移させるモード切換手段と、前記待機モードから前記通常モードに状態遷移させるときに画像調整を行う画像調整手段とを備える画像読取装置であって、
前記モード切換手段は、前記キャリッジが画像調整位置まで移動したことに応答して前記待機モードに状態遷移させるためのトリガ・イベントを発行する、画像読取装置が提供される。
【発明を実施するための最良の形態】
【００１５】
図１は、本発明の画像形成装置が備える画像読取装置１０を示した図である。図１に示す画像読取装置１０は、スキャナとして構成され、原稿１２がコンタクトガラス１４上に載置される。原稿１２は、コンタクトガラス１４を通して白色ランプ２０から光線が照射され、原稿１２からの反射が光学系を介してリニアＣＣＤ３２に集光される。白色ランプ２０は、第１反射ミラー２２と共に第１キャリッジ１８に保持され、矢線Ａで示す副走査方向へと移動する。第１反射ミラー２２で反射された光線は、第２キャリッジ２８に保持された第２反射ミラー２４および第３反射ミラー２６で反射され、集光光学系３０を介してリニアＣＣＤ３２に照射される。
【００１６】
リニアＣＣＤ３２は、反射原稿の強度に対応して蓄積された電荷を放電し、主走査方向に電圧変調されたアナログ信号を発生させ、アナログ処理部に伝送している。アナログ処理部によりＡ／Ｄ変換されたデジタル画像データは、画像形成装置の画像処理部へと伝送されて、以後の処理が実行される。図１に示す画像読取装置１０は、画像形成装置の画像読取ユニットを構成する。また、画像読取装置１０は、原稿画像取得の妨げにならない位置に標準白板１６を備えており、画質調整を行う場合には、第１キャリッジ１８が白色ランプ２０により標準白板１６を照射することができる位置へと移動される。
【００１７】
図２は、本発明の画像読取装置１０を備える画像形成装置４０の機能ブロック図を示す。本発明の画像形成装置４０は、図１に示す画像読取装置１０を備える画像読取ユニット５０およびオペレーション・パネルおよび入力キーなどの入力部５２から制御データおよび画像データを取得している。画像読取ユニット５０が取得した画像データは、スキャナＩ／Ｆ５４を介してデジタル画像処理を行う画像処理部４８へと送られている。また、画像形成装置４０は、システム・コントローラとして機能するＣＰＵ４２を備えていて、ＣＰＵ４２は、画像形成装置４０の各機能部の処理タイミングを管理し、各機能部へと処理指令を発行している。
【００１８】
また、画像形成装置４０は、画像データのデジタル処理や、各種アプリケーション・ソフトウェアの実行空間を与えるためのＲＡＭ４４と、処理を行うためのデータまたはプログラムなどを格納したＲＯＭ４６とを備えていて、ＣＰＵ４２による画像処理および画像形成装置の制御を可能としている。
【００１９】
画像処理部４８は、イメージ・スキャナにより取得された画像データに対してフィルタリング処理、文字画像抽出処理、網点画像抽出処理などの処理を実行し、その結果生成される各種の属性値に基づき画像処理を行い、プリント指令をエンジン・コントローラ６０へと送出する。エンジン・コントローラ６０は、画像形成装置４０の仕様に応じて、直接、またはＵＳＢ(Universal Serial BUS)またはＩＥＥＥ１２８４などのバス／ドライバ６６を介して、感光体ドラム、現像装置、定着装置などを含む作像エンジン７０に対して作像を行わせている。また、画像形成装置４０は、ファクシミリ・コントローラ５８またはネットワーク・インタフェース・カード（ＮＩＣ）６２、ＡＴＡ、シリアルＡＴＡ、ＡＴＡＰＩ、ＡＴＡ−４などの規格を有するＩＤＥ(Integrated
Drive Electronics)６４などのインタフェースを備えており、ＨＤＤ７４にデータの書込・読出を行っている。
【００２０】
ファクシミリ・コントローラ５８は、取得した画像データをＧ３、Ｇ４などのファクシミリ・フォーマットへと変換させ、モデムなどのファクシミリ送受信装置７８またはＤＳＵ／ＴＡ６８を介して公衆電話網またはＩＳＤＮなどを経由してアナログまたはデジタル回線を介してファクシミリ通信を行っている。
【００２１】
ＮＩＣ６２は、１０ＢＡＳＥ−１００などのイーサネット（登録商標）ケーブルを介してローカルエリア・ネットワーク（ＬＡＮ）、ワイドエリア・ネットワーク（ＷＡＮ）、またはインターネットなどのネットワーク７２へと接続されていて、ユーザに対して画像形成装置４０をリモート・プリンタとして機能させ、またＳＭＴＰ、ＰＯＰなどのプロトコルの下で電子メールなどのサービスを提供させている。なお、電子メールなどのサービスは、ＮＩＣ６２を経由せず、モデムなどを介してＰＰＰ(Point-to-Point Protocol)のもと、ダイアルアップ接続で都度接続先を指定して送受信することもできる。
【００２２】
また、本発明の画像形成装置４０は、通常モードと省エネモードとの間でモード切換を指令する、モード切換部８０を備えている。モード切換部８０は、入力部５２からのユーザ入力、または画像形成装置４０の動作終了などから所定期間経過後に自動的に省エネモードとなるように画像形成装置４０を制御する。本発明の特定の実施形態では、モード切換部８０は、キャリッジが標準白板の下側にまで移動したことを通知する移動完了指示部８２を備えている。移動完了指示部８２は、キャリッジの移動に要するキャリッジ移動時間の予測値を使用して第１キャリッジの移動終了を判断し、省エネモードに移行するためのトリガ・イベントを発行する。また、本発明の他の実施形態では、第１キャリッジ１８が所定の位置まで移動したことを検知装置が検知したことを示す通知を受付けてトリガ・イベントを発行する。モード切換部８０は、移動完了指示部８２からのトリガ・イベントを受付けると、ＣＰＵ４２に対して、通常モードから省エネモードに状態遷移するための処理を開始するように指令する。
【００２３】
図３は、本発明の画像読取ユニット５０の第１キャリッジ１８のホームポジションおよび画質調整位置を示す。図３に示すように、ホームポジションは、画質調整位置から距離Ｌだけ離間している。このため省エネモードからの復帰直後に画質調整を実行するためには、第１キャリッジ１８は、標準白板１６を照射することができる位置まで移動される。また、本発明の画像読取ユニット５０は、第１キャリッジ１８の適切な位置に検知装置８４を備えている。検知装置８４は第１キャリッジ１８が画質調整位置まで移動したことを検知して、モード切換部８０に通知している。
【００２４】
本発明では、下記式（１）でホームポジションから画質調整位置まで第１キャリッジ１８が移動する時間を含めてキャリッジ移動開始時間（ＣＴＳ：carriage translation start time)を設定する。
【００２５】
【数１】
2008061198.tif 000003
上記式中、ＰＳＴは、画像形成装置４０が省エネモードへの状態遷移を発行するまでの設定時間であり、第２タイマにより計時されている。また、ＲＴＴは、第１キャリッジ１８がホームポジションから画質調整位置まで並進運動するための時間の予測値であり、第１タイマにより計時されている。本発明の特定の実施形態では、ＲＴＴは、ユーザまたはサービスマンなどが設定することができる。また、本発明のさらに他の実施形態では、画像形成装置４０がＲＴＴを実測し、ＲＡＭ４４またはＮＶＲＡＭに記憶させ、処理に応じて読出して設定することができる。また、本発明の他の実施形態では、ＲＯＭ４６などにキャリア移動時間ＲＴＴを予め制御データとして登録しておき、モード切換部８０がＲＯＭ４６から読出して上記式（１）の計算に使用することができる。なお、本発明では、特定の画像形成装置４０におけるプログラム起動および処理タイミングの差などを考慮し、画像形成装置４０に最適な範囲で、時間幅ΔＴを、式（１）の右辺に追加することができる。
【００２６】
すなわち、本発明では、画像形成装置４０が省エネモードへの状態遷移指令を発行する前に、第１キャリッジ１８の並進移動に要する時間を予測値として、省エネモードへの状態遷移指令が発行される期間前に第１キャリッジ１８の移動を完了させることで、省エネモードに状態遷移するまでに確実に第１キャリッジ１８を画質調整位置に設定する。
【００２７】
図４は、本発明の画像形成装置４０の状態遷移図を示す。本発明の画像形成装置４０は、通常モード（Ｎ状態）と、位置調整モード（ＬＣ状態）と、省エネモード（ＰＳ状態）の３状態の間で遷移する。Ｎ状態からＬＣ状態への遷移は、画像形成装置４０の動作終了、またはユーザによる省エネモード指令によりトリガされ、ＬＣ状態は、第１キャリッジ１８が画像調整位置にまで並進移動するための期間維持され、ＬＣ状態の終了と共に画像形成装置４０に対してＰＳ状態への状態遷移の指令を発行し、画像形成装置４０をＰＳ状態とする。本発明で、各状態を示すサークルのエッジは、当該状態の開始タイミングおよび終了タイミングを示す。本発明では、ＬＣ状態の終了タイミングは、ＰＳ状態の開始タイミングよりも前に終了することが必要とされる。
【００２８】
ＬＣ状態は、その終了時に省エネモードを開始させるトリガ・イベントを発行させる。ＬＣ状態の終了は、以下の条件により決定される。
（１）ユーザが省エネモードへの切換指令を、入力部５２のオペレーション・パネルやプッシュ・ボタンを使用して入力した時点、または画像形成装置の動作が終了して待機状態とされた時点から、上記式（１）で示した期間の経過を、第１タイマ装置が通知したこと：
（２）第１キャリッジ１８が画質調整位置まで移動したことを通知する検出装置からの割込信号を受付けたこと：
である。なお、本発明では、モード切換装置８０は、第２タイマ装置を備えており、第２タイマ装置は、通常モードから省エネモードに状態遷移が開始するまでの時間を管理する、計時手段とされる。図４には、本発明において第１タイマ装置および第２タイマ装置が管理するタイミングの実施形態を、例示的に示す。
【００２９】
本発明の画像形成装置４０が備えるモード切換部８０は、上述したトリガ・イベントの発生に応答してＣＰＵ４２に対し、省エネモード移行指令を発行する。なお、省エネモード移行指令により、画像形成装置４０の他の装置、例えば、ＣＰＵ、ＲＡＭ、定着装置、ポリゴンモータ、リニアＣＣＤ、入力部なども最小限の電力消費状態とされる。
【００３０】
図５は、図４に示したＬＣ状態での制御を示したフローチャートである。画像形成装置４０が所定のジョブを終了し、次のジョブを待機するモードとなった後に、省エネモードへの移行タイミングを計時する第２タイマ装置のタイムアウト前に第１タイマ装置をタイムアウトさせるように第１キャリッジ１８を動作させる実施形態である。
【００３１】
図５のフローチャートの処理は、画像形成装置４０のジョブが終了した段階で開始されステップＳ１００から開始し、ステップＳ１０１でＲＡＭ４４などに格納されたアドレスを検索し、ユーザから設定されたキャリッジ移動時間設定データが０か否かを判断する。キャリッジ移動時間設定データが、０の場合（ｙｅｓ）には、ステップＳ１０６に進み、キャリッジ移動時間の誤設定または本発明によるキャリッジ移動処理を希望しないことを示しているので、入力部５２のオペレーション・パネルなどに誤設定であるか、またはキャリッジ移動制御を行わない通知を行い、処理をステップＳ１０４に分岐させ、ＬＣ状態を経ることなく通常モードから省エネモードへの遷移を開始させる。
【００３２】
ステップＳ１０１の判断でキャリッジ移動時間設定が０でない場合（ｎｏ）には、上記式（１）を使用してＳ１０２でキャリッジ移動開始時間を計算し、第１タイマ装置の設定時間とし、ステップＳ１０３で第１タイマ装置をスタートさせる。キャリッジ移動時間異常警告のＩ／Ｏ割込があるかの判断の後、ステップＳ１０４で第２タイマ装置を起動して画像形成装置４０を省エネモードへの遷移を開始させる。このとき、第１タイマ装置のタイムアウト時間は、第２タイマ装置のタイムアウト時間よりも早くなるように設定されるので、画像形成装置４０は、第１キャリッジ１８の移動完了後に完全に省エネモードとされる。
【００３３】
図６は、第２の実施形態のフローチャートを示す。図６の制御方法は、ユーザが省エネモードへの遷移を指指令する入力を、入力部５２から行ったことを契機としてステップＳ２００から開始する。ステップＳ２０１ではＲＡＭ４４などに格納されたアドレスを検索し、ユーザから設定されたキャリッジ移動時間設定データが０か否かを判断する。キャリッジ移動時間設定データが、０の場合（ｙｅｓ）には、ステップＳ２０６に進み、キャリッジ移動時間の誤設定または本発明によるキャリッジ移動処理を希望しないことを示しているので、入力部５２のオペレーション・パネルなどに誤設定であるか、またはキャリッジ移動制御を行わない通知を行い、ステップＳ２０５に処理を分岐させ、ＬＣ状態を経ることなく通常モードから省エネモードへの遷移を開始させる。
【００３４】
また、ステップＳ２０１でキャリッジ移動設定時間が０ではない場合（ｎｏ）、処理をステップＳ２０２へと分岐させ、第１キャリッジ１８の移動を開始させ、ステップＳ２０３で第１タイマ装置を起動する。ステップＳ２０４では、第１タイマ装置に設定されたタイムアウト時間が経過したか否かを、継続してモニタする。ステップＳ２０４で第１タイマ装置がタイムアウトしたと判断された場合（ｙｅｓ）、処理はステップＳ２０５で第２タイマを起動し、省エネモードへの状態遷移処理を開始させ、ステップＳ２０７で処理を終了する。
【００３５】
本発明の制御方法の第３実施形態では、トリガ・イベントとして第１キャリッジ１８が画質調整位置まで移動したことを通知する検知装置からの割込信号を受付けたことをトリガ・イベントとして使用する。この場合には、ステップＳ２０４の判断処理を、当該割込信号を受付けたことに代えることで、同様の処理を用いることができる。なお、検知装置としては、キャリッジの駆動装置に配設したロータリ・エンコーダや、ＬＥＤ／フォトダイオードなどの光学検知手段を使用することができる。
【００３６】
また、本発明で、第２タイマ装置の計時が開始された段階で、第３タイマ装置を起動し、第１タイマ装置の満了に伴うトリガ・イベントが第３タイマ装置のタイムアウトまでに生成されない場合には、キャリッジ動作異常として、入力部５２を通してユーザにその旨を通知することができる。
【００３７】
図７は、本発明の画像形成装置４０が省エネモードから復帰する場合の制御方法のフローチャートを示す。図７の処理は、ユーザ入力またはファクシミリ・メールなどの自動受信を契機としてステップＳ３００から開始する。ステップＳ３０１では、ＲＡＭ４４に格納されているキャリッジ移動時間が０か否かを判断し、０の場合（ｙｅｓ）には、第１キャリッジ１８は、ホームポジションとされたままなので、ステップＳ３０６で、入力部５２のオペレーション・パネルに、「画像調整のためしばらくお待ち下さい。」などの表示を行い、ステップＳ３０５へと制御を分岐させ本発明の制御を終了し、通常の画像調整処理を開始する。
【００３８】
ステップＳ３０１でキャリッジ移動時間の設定が０でない場合（ｎｏ）には、処理をステップＳ３０２へと分岐させ、直ちにＡＧＣを実行する。ステップＳ３０３で標準白板１６を使用した画像調整処置であるＡＧＣの終了をモニタし、ＡＧＣが終了した段階（ｙｅｓ）で、ステップＳ３０４で第１キャリッジ１８をホームポジションに移動させ、本発明の制御処理をステップＳ３０５で終了させ、ＡＧＣが終了していない場合には、従来のＡＧＣ処理を実行させる。
【００３９】
なお、本発明において、省エネモードから通常モードへ復帰する際の画像調整動作を禁止する設定が可能なスキャナを備える画像形成装置４０であっても、ＲＯＭ４６などのアドレスを参照し、装置設定として省エネモードへ遷移するときに「画像調整動作が禁止」するフラグなどが設定されているか否かの判断を、ステップＳ１０１またはステップＳ２０１の判断の上流側処理または並列して判断を実行させ、本発明の処理を、｛（キャリッジ移動時間＝！０）＆（画像調整動作禁止フラグｏｆｆ）｝の判断がtrueの値を返すことにより、開始させることができる。また、｛（キャリッジ移動時間＝！０）＆（画像調整動作禁止フラグｏｆｆ）｝の判断がfalseの値を返す場合には、キャリッジ移動時間＝０のときと同じ動作をさせることで、画像調整するか、しないか、の設定が可能である実施形態に対しても対応することができる。
【００４０】
復帰時に画像調整動作を行わない場合、通常モード復帰時には第１キャリッジ１８はホームポジションに位置する。この場合には、ＲＯＭ４６のフラグ設定を参照し、第１キャリッジ１８の位置がホームポジションにあると判断することもできるし、省エネモードに入る前のキャリッジの位置を、キャリッジを移動させるための駆動装置に対し、ロータリ・エンコーダなどを備えさせておき、ロータリ・エンコーダの値を、省エネモード移行時にＮＶＲＡＭまたはＲＡＭ４４に格納させておくことができる。さらに、本発明の他の実施形態では、通常モード復帰時に、ロータリ・エンコーダによる実測を行い、第１キャリッジ１８の位置を判断し、以後の処理に対応することができる。
【００４１】
図８は、本発明の画像読取装置の第２の実施形態を示す。図８に示した画像読取装置８６は、筺体９０内に、第１キャリッジ９８、白色ランプ１００、第１反射ミラー１０２、第２反射ミラー１０４、第３反射ミラー１０６、第２キャリッジ１０８および集光光学系１１０を備えている。集光光学系１１０で集光された反射光は、ＣＣＤ１１２に集光され、原稿９２による電荷変調を与えている。ＣＣＤ１１２により生成された変調電荷は、バス・ライン８８を介して、Ａ／Ｄ変換回路によりデジタル画像とされた後、ＲＡＭ１１８などに格納され、ＣＰＵ１１４などを使用して、各種の処理が行われる。図８に示した実施形態では、本発明の処理を実行するためのプログラムは、他の制御データとともにＲＯＭ１１６に格納され、画像読取装置８６が起動されると、ＣＰＵ１１４が読出して、本発明によるキャリッジ制御を実行する。
【００４２】
なお、筺体９０には、コンタクトガラス９４と、標準白板９６とが配置され、原稿９２の画像を取得することができる構成とされている。筺体９０の内部には、キャリッジを駆動するための駆動装置（図示せず）を、ＣＰＵ１１４により実行される制御プログラムにより本発明による制御するためのＩ／Ｆ１２０も搭載されている。画像読取装置８６は、外部からの画像読取指令を受付けて画像を読取り、外部装置へと伝送している。本発明の第２の実施形態においてはＣＰＵ１１４が制御プログラムを実行させて、ＣＰＵ１１４の内部機能モジュールとしてモード切換部を提供する。画像読取装置８６は、画像読取装置８６が省エネモードまたは外部指令を待機する省エネルギー状態とされた待機モードとなっている場合には、標準白板９６の下側位置に第１キャリッジ９８を配置させ、ＡＧＣ処理を高速化している。なお、本発明の第１キャリッジ９８は、直接リニアＣＣＤをマウントしていて、ロープロファイルのフラット・スキャナとして構成されていても良い。
【００４３】
これまで本発明を図面に示した実施形態に基づいて説明してきたが、本発明は、電子写真法を使用するモノクロまたはフルカラーの画像形成装置、複写機、ファクシミリ、プリンタなどに適用することができ、実施形態に限定されるものではなく、追加、変更、別実施例など、当業者により想到される画像形成装置および制御方法は、本発明の効果を奏する限り、本発明の範囲に含まれるものである。
【図面の簡単な説明】
【００４４】
【図１】本発明の画像読取装置を示した図。
【図２】本発明の画像形成装置の機能ブロック図。
【図３】第１キャリッジのホームポジションおよび画質調整位置を示した図。
【図４】本発明の画像形成装置の状態遷移図。
【図５】本発明の制御方法における第１の実施形態のフローチャート。
【図６】本発明の制御方法における第２の実施形態のフローチャート。
【図７】本発明で画像形成装置が省エネモードから復帰する場合の制御方法のフローチャート。
【図８】本発明の画像読取装置の第２の実施形態を示した図。
【符号の説明】
【００４５】
１０…画像読取装置、１２…原稿、１４…コンタクトガラス、１６…標準白板、１８…第１キャリッジ、２０…白色ランプ、２２…第１反射ミラー、２４…第２反射ミラー、２６…第３反射ミラー、２８…第２キャリッジ、３０…集光光学系、３２…リニアＣＣＤ、４０…画像形成装置、４２…ＣＰＵ、４４…ＲＡＭ、４６…ＲＯＭ、４８…画像処理部、５０…画像読取ユニット、５２…入力部、５４…スキャナＩ／Ｆ、５６…入出力Ｉ／Ｆ、５８…ファクシミリ・コントローラ、６０…エンジン・コントローラ、６２…ＮＩＣ、６４…ＩＤＥ、６６…バス／ドライバ、６８…ＤＳＵ／ＴＡ、７０…作像エンジン、７２…ネットワーク（ＬＡＮなど）、７４…ＨＤＤ（ハードディスク）、７８…ファクシミリ送受信装置、８０…モード切換部、８２…移動完了指示部、８４…検知装置、
８６…画像読取装置、８８…バス・ライン、９０…筺体、９２…原稿、９４…コンタクトガラス、９６…標準白板、９８…第１キャリッジ、１００…白色ランプ、１０２…第１反射ミラー、１０４…第２反射ミラー、１０６…第３反射ミラー、１０８…第２キャリッジ、１１０…集光光学系、１１２…リニアＣＣＤ、１１４…ＣＰＵ、１１６…ＲＯＭ、１１８…ＲＡＭ、１２０…Ｉ／Ｆ（キャリッジ駆動用）
【図１】
2008061198.tif 000004
【図２】
2008061198.tif 000005
【図３】
2008061198.tif 000006
【図４】
2008061198.tif 000007
【図５】
2008061198.tif 000008
【図６】
2008061198.tif 000009
【図７】
2008061198.tif 000010
【図８】
2008061198.tif 000011